(57)【要約】ワイヤレス通信ネットワーク内で動作するワイヤレスターミナルのユーザに、計算システムのネットワークにコンテンツを記憶するリソースへのアクセスを与えるための装置及び方法。計算システムのネットワークにおけるリソースを指示する識別子を含むユーザメッセージが、ワイヤレスターミナルから、ワイヤレス通信ネットワークを経て、ネットワークにアクセスできるブロードキャストサーバーへ転送される。メッセージで指示されたコンテンツを検索するために計算システムのネットワークと通信する。コンテンツは、ブロードキャストネットワークを経てワイヤレスターミナルへブロードキャストされる。ワイヤレスターミナルに受け取られたコンテンツは、コンテンツのデータパケットがワイヤレスターミナルに実質的に受信された場合にターミナルにおいてプレゼンテーションされる。
2004532593.tif 000002
【特許請求の範囲】
【請求項１】
ワイヤレス通信ネットワーク(110)内で動作しているワイヤレスターミナル(100)へコンテンツを得るための方法において、
上記ワイヤレス通信ネットワーク(110)を経て計算システムのネットワーク(120)へユーザメッセージを送信し、該ユーザメッセージは、上記計算システムのネットワーク(120)において上記コンテンツを含むリソースを指示し、そしてその後、
上記リソースからブロードキャストネットワーク(130)を経て上記ワイヤレスターミナル(100)へ上記コンテンツを転送する、
という段階を備えた方法。
【請求項２】
上記コンテンツを転送する上記段階の前に、上記コンテンツのデータパケットのリストを生成する段階を更に備え、そして上記コンテンツを転送する上記段階は、上記リスト及び上記コンテンツを転送することを含む請求項１に記載の方法。
【請求項３】
上記コンテンツが上記ワイヤレスターミナルに実質的に受信されなかった場合に上記コンテンツの欠落データパケットを得るための付加的なメッセージを送信する段階を更に備えた請求項２に記載の方法。
【請求項４】
上記計算システムのネットワークにおいて上記コンテンツ及び更に別のコンテンツを指示する識別子を含む更に別のメッセージを送信する段階を更に備え、上記更に別のコンテンツは、上記コンテンツにリンクされる請求項１に記載の方法。
【請求項５】
上記ユーザメッセージを送信する上記段階は、上記ワイヤレス通信ネットワーク(110)のネットワーク要素に上記ユーザメッセージを受信し、上記メッセージを上記計算システムのネットワークの要求へと変換し、そしてその要求をブロードキャストサーバー(112)へ転送して上記コンテンツを得ることを含む請求項１に記載の方法。
【請求項６】
上記ブロードキャストネットワーク(130)を経て上記コンテンツを転送する段階の前に、上記コンテンツをブロードキャストサーバー(112)へ検索するために上記計算システムのネットワーク(120)と通信する段階を更に備えた請求項１に記載の方法。
【請求項７】
上記ブロードキャストネットワーク(130)を経て上記ワイヤレスターミナル(100)へ上記コンテンツを転送する上記段階は、上記コンテンツのデータパケット及び上記コンテンツのデータパケットを示すリストを、地上デジタルビデオブロードキャスト(DVB-T)ネットワーク(130)を経て上記ワイヤレスターミナル(100)へブロードキャストすることを含む請求項２に記載の方法。
【請求項８】
上記メッセージは、複数のワイヤレスターミナルを識別し、そして上記コンテンツは、上記メッセージにおいて識別された複数のワイヤレスターミナルへブロードキャストされる請求項１に記載の方法。
【請求項９】
受信したデータパケットを上記リストのデータパケットと比較し、そして上記データパケットが実質的に受信された場合に上記ワイヤレスターミナルに上記コンテンツをプレゼンテーションする段階を更に備えた請求項２に記載の方法。
【請求項１０】
上記データパケットが実質的に受信された場合に上記ワイヤレスターミナルに上記受信されたコンテンツをプレゼンテーションする上記段階は、受信リストに示された全てのデータパケットが上記ワイヤレスターミナル(100)に受信された場合に上記ワイヤレスターミナル(100)に上記受信されたコンテンツをプレゼンテーションすることを含む請求項９に記載の方法。
【請求項１１】
上記データパケットが実質的に受信された場合に上記ワイヤレスターミナル(100)に上記受信されたコンテンツをプレゼンテーションする上記段階は、上記コンテンツの全てのデータパケットが上記ワイヤレスターミナル(100)に受信された場合に上記ワイヤレスターミナル(100)に上記受信されたコンテンツをプレゼンテーションすることを含む請求項９に記載の方法。
【請求項１２】
上記データパケットが実質的に受信された場合に上記ワイヤレスターミナル(100)に上記受信されたコンテンツをプレゼンテーションする上記段階は、上記ワイヤレスターミナル(100)が上記コンテンツをプレゼンテーションできる場合に上記ワイヤレスターミナル(100)に上記受信されたコンテンツをプレゼンテーションすることを含む請求項９に記載の方法。
【請求項１３】
上記ユーザメッセージは、ＳＭＳメッセージ及びパケットベースメッセージの少なくとも１つを含み、上記コンテンツは、インターネットにおけるデータ情報を含み、上記ワイヤレス通信ネットワーク(110)は、移動電話ネットワークを備え、上記計算システムのネットワーク(120)は、インターネットを含み、そして上記ブロードキャストネットワーク(130)は、地上デジタルビデオブロードキャスト(DVB-T)ネットワークを含む請求項１に記載の方法。
【請求項１４】
上記ユーザメッセージは、データパケットの形式、時間の関数、コンテンツのサービスクオリティ(QOS)要求、使用可能な帯域巾の関数、同時ユーザの関数、少なくとも１つのネットワーク(110, 120, 130)における負荷、及びリソースにアクセスする手段、のうちの少なくとも１つに基づいてある料金を形成する請求項１に記載の方法。
【請求項１５】
コンテンツを得るためにワイヤレス通信ネットワーク(110)を経てユーザメッセージを送信するワイヤレスターミナル(100)において、
上記ワイヤレス通信ネットワーク(110)を経て計算システムのネットワーク(120)におけるリソース(121)へ上記ユーザメッセージをアドレスするために上記コンテンツのアドレスを受信する入力ユーザインターフェイス(102)と、
上記リソース(121)からコンテンツを得るために上記計算システムのネットワーク(120)におけるリソース(121)へ上記ユーザメッセージを送信する手段(103, 105)と、
ブロードキャストネットワーク(130)を経てブロードキャストされたコンテンツを受信するためのブロードキャストネットワークインターフェイス(107)と、
上記ブロードキャストネットワーク(130)を経て受信されそして上記ワイヤレスターミナル(100)に受信されたコンテンツを記憶するためのメモリ(104)と、
上記ワイヤレスターミナル(100)のユーザに上記コンテンツをプレゼンテーションするための出力ユーザインターフェイス(101)と、
を備えたワイヤレスターミナル。
【請求項１６】
上記コンテンツの受信データパケットを上記コンテンツのデータパケットのリストと比較するための手段(103)を更に備えた請求項１５に記載のワイヤレスターミナル(100)。
【請求項１７】
上記コンテンツのデータパケットが欠落した場合にブロードキャストサーバー(112)へ付加的なメッセージを送信するための手段(103)を更に備えた請求項１６に記載のワイヤレスターミナル(100)。
【請求項１８】
上記入力ユーザインターフェイス(102)が、出力されたコンテンツに基づく命令を受信する場合に、ブロードキャストサーバー(112)へ更に別のメッセージを送信するための手段(103)を更に備えた請求項１５に記載のワイヤレスターミナル(100)。
【請求項１９】
上記ユーザメッセージは、上記計算システムのネットワーク(120)において上記コンテンツの均一リソースロケータ(URL)アドレスを含む請求項１５に記載のワイヤレスターミナル(100)。
【請求項２０】
上記ユーザメッセージは、上記計算システムのネットワーク(120)において上記リソースのＵＲＬアドレスに関連したインデックスを含む請求項１５に記載のワイヤレスターミナル(100)。
【請求項２１】
上記コンテンツは、インターネットデータ情報を含み、上記ワイヤレス通信ネットワーク(110)は、移動ネットワークを備え、上記計算システムのネットワーク(120)は、インターネットを含み、そして上記ブロードキャストネットワーク(130)は、地上デジタルビデオブロードキャスト(DVB-T)ネットワークを含む請求項１５に記載のワイヤレスターミナル(100)。
【請求項２２】
上記ユーザメッセージを送信するための上記手段は、第１ワイヤレスユニット(301)を含み、そして上記ブロードキャストネットワークインターフェイスは、第２ワイヤレスユニット(302)を含み、これら第１及び第２のワイヤレスユニットは、２つの独立した装置(301, 302)を含む請求項１５に記載のワイヤレスターミナル(100)。
【請求項２３】
コンテンツの供給を処理するために計算システムにより実行できる命令のプログラムを備えたコンピュータプログラム製品において、
ワイヤレス通信ネットワーク(110)を経てワイヤレスターミナル(100)からユーザメッセージを受信するためのコンピュータプログラムコードを備え、上記ユーザメッセージは、計算システムのネットワーク(120)におけるリソースを指示するものであり、更に、
上記ユーザメッセージを上記計算システムのネットワーク(120)の要求へ変換するためのコンピュータプログラムコードと、
上記メッセージで指示されたコンテンツを検索するために上記計算システムのネットワーク(120)と通信するコンピュータプログラムコードと、
ブロードキャストネットワーク(130)を経てワイヤレスターミナル(100)へ上記コンテンツを送信するためのコンピュータプログラムコードと、
を備えたコンピュータプログラム製品。
【請求項２４】
上記コンテンツのデータパケットのリストを生成するためのコンピュータプログラムコードを更に備え、そしてブロードキャストネットワーク(130)を経て上記コンテンツを送信するための上記コードは、ブロードキャストネットワーク(130)を経てワイヤレスターミナル(100)へ上記リスト及び上記コンテンツを送信するためのコンピュータプログラムコードを含む請求項２３に記載のコンピュータプログラム製品。
【発明の詳細な説明】
【技術分野】
【０００１】
本発明は、一般に、通信ネットワークにおいて情報をアクセスすることに係り、より詳細には、多数のネットワークプラットホームを横切ってワイヤレスターミナルにデータ情報を得るための方法及び装置に係る。
【背景技術】
【０００２】
コンピュータネットワークは、広い意味で、２つ以上の計算システムをリンクすることにより生じるデータ通信システムを指す。このネットワークは、ネットワークにアクセスできる者がプログラムやデータやネットワークリソースやデータベース情報を共用できるようにし、且つｅ−メールやインボイス発生のような他のファンクションを容易にすることができる。情報を即座にアクセスする必要性は、情報を便利に且つ効率的に通信するための精巧なネットワーク及びネットワークアプリケーションの追求をかきたてた。
【０００３】
インターネットと称される相互接続されたコンピュータ及びコンピュータネットワークのグローバルウェブは、その広大な到達範囲により、オンデマンド情報の必要性を満足する非常に重要なツールであることが証明されている。インターネットは、グローバルなｅ−メール、リモートデータアクセス、リサーチ等を容易にするためのビジネス及びパーソナルツールとして使用される。又、マルチメディアコンテンツを配送するその能力は、ゲームをプレイしたり、ビデオ、オーディオ及びＭＰ３のようなストリームコンテンツを配送したり等々のための娯楽用ツールとしてインターネットを確立した。
【０００４】
インターネットで入手できる情報へのアクセスを得るには、従来、インターネットへのハードウェア接続を必要とする。インターネットは、インターネットに接続されたコンピュータやターミナルを経てユーザが情報をアクセスするのを許すが、ハードウェア接続の必要性が、インターネット情報アクセスに対し望ましからぬ身体的制約、即ち映画に相当の時間を費やすユーザにとって特定の妨げをもたらした。ユーザが、インターネットを経て提供される情報やサービスに更に依存するにつれて、インターネット及びワイヤレスドメインの一体化が益々重要になった。
【０００５】
ＧＳＭ、ＩＳ−１３６、ＩＳ−９５、ＰＤＣ等の移動ネットワークは、移動電話通信に関して慣習的に使用されている。これらの精巧な移動ネットワークは、移動電話ユーザが他の移動ユーザや地上回線電話システムと通信できるようにすることにより、通信便宜性の別の特徴を可能にした。しかしながら、イントラネットやインターネットのような情報ネットワークを、移動装置の携帯性及び便宜性と一体化する必要性が依然存在する。この必要性は、インターネット及び他のネットワークをワイヤレスネットワークプラットホームと一体化するための努力を生み出した。
【０００６】
ほとんどの精巧な移動ネットワークは、インターネットへのアクセスを可能にする。しかしながら、インターネットから移動ネットワークプラットホームを経て移動ステーションへアクセスしたりデータ情報を転送したりすることで、データ転送レートが制限された。更に、移動ドメインを経てデータを転送するのは、高価である。ワイヤレスドメインに対して高速で且つ安価な通信チャンネルを設ける必要性が依然存在する。
【発明の開示】
【発明が解決しようとする課題】
【０００７】
移動装置及び既存のネットワークプラットホームの種々の固有の制約や、既存のネットワークプラットホームで入手できる豊富なデータ情報へのアクセスを与える必要性に鑑み、公知システムに関連した上記及び他の問題を解消することが要望される。通信業界では、ワイヤレス装置を経て他のネットワークからデータ情報を得る一方、融通性やユーザの便宜性を高める装置及び方法も要望される。本発明は、公知技術の上記及び他の欠点を解消しながら、公知技術に勝る付加的な効果を与えるものである。
【課題を解決するための手段】
【０００８】
上述した公知技術の制約を克服し、そして本明細書を読んで理解したときに明らかとなる他の制約を克服するために、本発明は、多数のネットワークプラットホームを横切ってワイヤレスネットワーク内で動作するワイヤレスターミナルにデータ情報を通信するための装置及び方法を開示する。ワイヤレス装置は、プリセットナビゲーション構造体に限定されるものではなく、多数のネットワークプラットホームと通信する能力を備えたものである。
【０００９】
本発明の第１の特徴によれば、ワイヤレス通信ネットワーク内で動作するワイヤレスターミナルにデータコンテンツを得るための方法であって、
−  上記ワイヤレスターミナルから上記ワイヤレス通信ネットワークを経てネットワークへメッセージを送信してデータコンテンツを得、上記メッセージは、上記ネットワークにおいてデータ情報を含むリソースを指示するものであり、
−  上記データコンテンツに関連した１つ以上のデータパケットを、上記リソースからブロードキャストネットワークを経て上記ワイヤレスターミナルへ転送し、
−  受信したデータパケットを、上記データコンテンツを形成するデータパケットのリストと比較して、１つ以上の欠落データパケットの考えられる存在を識別し、上記リストは、上記ワイヤレスターミナルにこれを得ることにより上記ターミナルに対して構成され、そして
−  欠落データパケットが識別された場合にその欠落データパケットの少なくとも１つを得るために付加的なメッセージを形成する、
という段階を備えた方法が提供される。
【００１０】
本発明の第２の特徴によれば、データコンテンツを得るためのワイヤレスターミナルであって、ワイヤレス通信ネットワーク内で動作するようにされたワイヤレスターミナルにおいて、
−  上記ワイヤレス通信ネットワークを経てネットワークにおけるリソースへメッセージをアドレスするために上記データコンテンツのアドレスを受信する入力ユーザインターフェイスと、
−  データコンテンツを得るために上記ワイヤレスターミナルから上記ワイヤレス通信ネットワークを経て上記ネットワークへ上記メッセージを送信するための手段であって、上記メッセージが、上記ネットワークにおけるデータコンテンツを含むリソースを指示するものである手段と、
−  ブロードキャストネットワークを経て上記リソースから上記データコンテンツに関する１つ以上のデータパケットを受信するためのブロードキャストネットワークインターフェイスと、
−  受信されたデータパケットを、上記データコンテンツを形成するデータパケットのリストと比較して、１つ以上の欠落データパケットの考えられる存在を識別するための手段であって、上記ワイヤレスターミナルで上記リストを得ることにより上記リストが上記ターミナルに対して構成されるような手段と、
−  欠落データパケットが識別された場合にそれら欠落データパケットの少なくとも１つを得るための付加的なメッセージを形成する手段と、
−  上記ブロードキャストネットワークを経て受信されそして上記ワイヤレスターミナルに受信された上記データコンテンツを記憶するためのメモリと、
−  上記ワイヤレスターミナルのユーザに上記データコンテンツをプレゼンテーションするための出力ユーザインターフェイスと、
を備えたワイヤレスターミナルが提供される。
【００１１】
一実施形態では、受信されたコンテンツの欠落データパケット（１つ又は複数）を得るための付加的なメッセージが形成されるのが好都合である。ワイヤレスターミナルは、データパケットのリストを受け取り、そしてその受け取ったデータパケットをそのリストに示されたデータパケットと比較する。ワイヤレスターミナルは、受け取ったデータパケットにマークし、そしてデータパケットを記憶し、欠落データパケット（１つ又は複数）を識別できるようにする。付加的なメッセージがブロードキャストサーバーに送信される。このブロードキャストサーバーは、サイトデータベースから欠落データパケットをチェックする。パケットがデータベースに記憶されていない場合には、ブロードキャストサーバーがインターネットからデータパケットを検索する。データパケットは、ワイヤレスターミナルにブロードキャストされる。
【００１２】
別の実施形態では、ワイヤレスターミナルは、受け取ったコンテンツを出力するのが好都合である。ワイヤレスターミナルのユーザは、出力情報においてリンクを選択し、そしてワイヤレスターミナルは、更に別のメッセージを発生する。この更に別のメッセージは、リンクのリソースを得るためにリンクのアドレスを少なくとも含む。この更に別のメッセージは、ブロードキャストサーバーへ送信され、そしてブロードキャストサーバーは、インターネットを経てリンクのリソースを検索する。或いは又、リンクのコンテンツは、ワイヤレスターミナルにローカルに記憶されてもよく、又はブロードキャストサーバーのサイトデータベースが、リンクのコンテンツを記憶することもできる。
【００１３】
本発明の別の実施形態は、ＧＳＭ環境に適用できるのが好都合である。ワイヤレス通信ネットワークは、ＧＳＭネットワークを備え、そしてコンテンツのアドレスを搬送するユーザメッセージは、ショートメッセージサービス（ＳＭＳ）メッセージで構成される。アドレスは、インターネットにおける均一リソースロケータ（ＵＲＬ）を含み、そしてコンテンツは、インターネットにおけるデータ情報を含む。ショートメッセージサービスセンター（ＳＭＳＣ）は、メッセージを受け取り、そしてメッセージを要求へと変換する。この要求は、ブロードキャストサーバーへ転送され、このブロードキャストサーバーは、ＧＳＭネットワークと、インターネットと、ブロードキャストネットワークとの間の通信をブリッジングする。ブロードキャストネットワークは、デジタルブロードキャストネットワーク（ＤＢＮ）を備えている。ブロードキャストサーバーは、インターネットにおいてデータサーバーからデータ情報を検索する。ブロードキャストサーバーは、データ情報をセーブし、そしてデータ情報の１５−２５データパケットのリストを形成する。ブロードキャストサーバーは、そのリスト及び１５−２５データパケットをＤＢＮへ転送する。このリスト及びデータパケットは、ブロードキャストされ、そしてワイヤレスターミナルは、このリスト及びデータパケットを受け取る。
【００１４】
別の実施形態では、ユーザメッセージの料金が形成される。この料金は、リソース関連情報の形式、時間の関数、コンテンツのサービスクオリティ(QOS)要求、使用可能な帯域巾の関数、同時ユーザの関数、少なくとも１つのネットワークにおける負荷、及びリソース関連情報にアクセスする手段、のうちの少なくとも１つに基づくものである。ブロードキャストサーバーのモニタリングプログラムは、ネットワークの物理的リソースを追跡する。ワイヤレス通信ネットワークがＧＳＭネットワークを備えた実施形態では、料金を、ＧＳＭネットワークにおける移動電話の料金に添付できるのが好都合である。ＧＳＭネットワークのオペレータは、インターネットからデータ情報を要求するときにユーザ及びメッセージを識別し、そして料金を添付することができる。
【００１５】
別の実施形態では、ユーザメッセージを送信する手段は、第１ワイヤレスユニットを備え、そしてネットワークインターフェイスは、第２ワイヤレスユニットを備え、これら第１及び第２のワイヤレスユニットは、２つの独立した装置で構成される。その第１装置は、移動電話であり、そして第２装置は、ＤＶＢターミナルである。移動電話は、インターネットデータ情報を要求するためのＳＭＳメッセージを送信する。ＤＶＢターミナルは、このＳＭＳメッセージに応答して、ＤＶＢネットワークにより送信されたインターネットデータ情報を受信する。通信リンクは、ＤＶＢターミナルを移動電話に作動的に接続する。通信リンクは、例えば、赤外線リンク、ケーブル及びブルーツース等である。
【発明を実施するための最良の形態】
【００１６】
本発明を良く理解するために、添付図面を参照して本発明を以下に詳細に説明すると共に、その範囲は、特許請求の範囲に指摘する。
本発明の方法及び装置は、添付図面を参照して好ましい実施形態を詳細に説明する。
本発明は、一般に、ワイヤレス通信ネットワーク内で動作するワイヤレスターミナルにデータ情報を得るための装置及び方法に向けられる。データ情報は、インターネットサイト、インターネットサイトが含む特定のデータ情報、等々であるのが好ましい。本発明は、ユーザメッセージをワイヤレスターミナルに入力することができ、ここで、ユーザメッセージは、ユーザが要求するデータ情報を識別する。本発明の一実施形態では、このようなユーザメッセージは、ショートメッセージシステム（ＳＭＳ）を使用してワイヤレス通信ネットワークからインターネットへ転送される。このメッセージは、データ情報を得るためのインターネット要求へと変換され、そしてインターネット環境で動作するように構成されたブロードキャストサーバーへ送信される。メッセージにより識別されたデータ情報は、その後、ブロードキャストサーバーから検索されて、デジタルブロードキャストネットワーク（ＤＢＮ）を経てワイヤレスターミナルへ返送され、ワイヤレスターミナルを経てユーザへプレゼンテーションされる。ＤＢＮは、デジタルビデオブロードキャスト（ＤＶＢ）ネットワークであるのが好ましい。ワイヤレス装置のローカルメモリは、要求されたデータ情報を、それがチェックされた後に記憶する。
【００１７】
図１は、本発明によるネットワーク環境の実施形態を示す。本発明は、データサービス及びユーザメッセージの送信をサポートするいかなるワイヤレス通信システムにも適用できる。この実施形態では、ユーザメッセージの送信は、ポインタ対ポイント接続を設定する必要なく、ワイヤレスターミナル１００と、ワイヤレス通信ネットワーク１１０のネットワーク要素との間で行われるテキストメッセージの転送を指す。このため、ワイヤレスターミナル１００において回路交換ポイント対ポイント接続に進行中のスピーチ又はデータコールがあるときでも、メッセージの転送を行うことができる。メッセージ転送は、１つのメッセージしか必要としない。即ち、１つのメッセージの転送が全トランザクションを構成するが、連結メッセージも適用できる。連結メッセージでは、メッセージから情報がパーズされてトランザクションを構成する。
【００１８】
以下、本発明は、ＧＳＭ（移動通信用のグローバルシステム）に関連して説明する。本発明については、ワイヤレス通信システムの動作及び構造には関与せず、従って、ユーザメッセージの送信を理解する上で助けとなる程度でしか説明しない。メッセージの送信に適用できる他のワイヤレス通信システムは、ＧＰＲＳ（汎用パケット無線サービス）及び３Ｇ（移動通信の第３世代）である。参考としてここに取り上げる公報ＷＯ９８／１１７４４号は、ＧＳＭを経てインターネットへショートメッセージを転送することに関する応用例を開示している。
【００１９】
図１を参照すれば、移動交換センター（ＭＳＣ）（図示せず）がネットワークにおける入呼び及び出呼びを交換する。又、これは、移動電話トラフィックの典型であるタスク、例えば、移動ネットワーク加入者レジスタであるビジター位置レジスタＶＬＲ及びホーム位置レジスタＨＬＲと協働する加入者位置管理も実行する。ＨＬＲは、加入者データを永久的に記憶するための加入者ホームレジスタである。ＶＬＲは、移動加入者がＶＬＲのエリアを訪れたときにＨＬＲから加入者データがコピーされるところのローカルレジスタである。ワイヤレスターミナル１００は、ベースステーションシステム（ＢＳＳ）（図示せず）を経てＭＳＣと通信する。ＢＳＳは、ベースステーションコントローラ（ＢＳＣ）（図示せず）及びベースステーション（ＢＴＳ）、例えば、固定無線トランシーバを備え、これにより、ワイヤレスターミナル１００は、無線経路を経てワイヤレス通信ネットワーク１１０と通信する。
【００２０】
ワイヤレス通信ネットワーク１１０のショートメッセージサービス（ＳＭＳ）は、ワイヤレスターミナル１００とショートメッセージサービスセンター（ＳＭＳＣ）１１１との間に限定長さ（１６０ＡＳＣＩＩキャラクタ）のショートメッセージを転送するための手段を与える。連結ＳＭＳメッセージにより、１６０以上のキャラクタを送信することができる。ワイヤレスターミナル１００から発信されたショートメッセージは、ワイヤレスターミナル１００からＳＭＳＣ１１１へ転送される。ショートメッセージは、インターネット１２０のような固定ネットワークにおいて他のワイヤレスターミナルユーザ又はサービスプロバイダーを行先とする。ＳＭＳＣ１１１とワイヤレスターミナル１００との間に使用されるプロトコルは、ＳＭＴＰ（ショートメッセージトランスポートプロトコル）と称される。
【００２１】
ＳＭＳＣ１１１は、ＭＳＣを経てワイヤレス通信ネットワーク１１０に作動的に接続される。ＭＳＣは、ワイヤレスターミナル１００とＳＭＳＣ１１１との間でショートメッセージを中継し、そしてメッセージの通信におそらく必要とされるＨＬＲ（及びＶＬＲ）問合せを実行する。ＳＭＳＣ１１１は、ワイヤレス通信ネットワーク１１０の番号スペースにおいて専用のＩＳＤＮ番号が与えられ、そしてワイヤレスターミナル１００は、このＩＳＤＮ番号を使用して、ＳＭＳＣ１１１へショートメッセージをアドレスする。又、ショートメッセージは、インターネットデータ情報を得るべきときにワイヤレスターミナル１００を識別する。
【００２２】
図１を参照すれば、ＳＭＳＣ１１１は、ワイヤレス通信ネットワーク１１０とインターネット１２０との間のゲートウェイとして働くことができるようにインターネット１２０に作動的に接続される。ＳＭＳＣ１１１とインターネット計算システムとの間のインターフェイスは、インターネット１２０へアクセスできるブロードキャストサーバー１１２との接続でブリッジされる。従って、本発明の実施形態は、インターネット１２０の情報リソースへアクセスすることができる。この情報リソースは、情報リソースを記憶するデータサーバー１２１のようなサーバー計算システムを含む。情報リソースへのアクセスは、ＳＭＳにより行われる。以下に詳細に述べるように、リソースは、ＳＭＳメッセージに応答してデジタルブロードキャスティングによりユーザに得られる。非常に多数のユーザ、ローカルネットワーク及びサーバー計算システムがインターネット１２０に接続される。
【００２３】
更に図１を参照すれば、デジタルブロードキャストネットワーク（ＤＮＢ）１３０は、データ情報をワイヤレスターミナル１００へブロードキャストする。デジタルブロードキャストネットワーク１３０は、例えば、データ情報を転送するように構成されたＤＶＢ又はＤＡＢネットワークである。ＤＢＮ１３０は、インターネット１２０に作動的に接続されて、インターネット１２０からワイヤレスターミナル１００へデータ情報を転送するのに使用される。ＤＢＮ１３０とインターナット１２０との間のインターフェイスは、インターネット１２０へアクセスできるブロードキャストサーバー１１２との作動的接続でブリッジされる。データサーバー１２１からの、ＳＭＳメッセージで特定されるデータ情報は、ブロードキャストサーバー１１２へ検索され、そしてＤＢＮ１３０を経てワイヤレスターミナル１００へ転送される。ＤＢＮ１３０は、複数のワイヤレスターミナルにサービスすることができる。
【００２４】
地上デジタルビデオブロードキャスト（ＤＶＢ−Ｔ）ネットワークが本発明に適用できるのが好都合である。ワイヤレスターミナル１００と称される適当なデジタル受信器（ＤＲ）が設けられたユーザは、ＤＢＮ１３０を経てブロードキャストされたデータを受信する。ブロードキャストされたデータは、ＴＣＰ／ＩＰを各々含む。
【００２５】
ワイヤレス通信ネットワーク１１０は、ワイヤレスターミナル１００の位置情報を要求と共にブロードキャストサーバー１１２へ転送するのが好都合である。ＧＳＭ環境では、位置情報は、ＶＬＲから得られ、そして位置情報をＳＭＳメッセージにアタッチすることができる。ブロードキャストサーバー１１２は、位置情報を受け取り、ＤＢＮ１３０の適当なブロードキャストセルにブロードキャストを転送することができる。或いは又、複数のブロードキャストサーバーのシステムでは、位置情報が、好ましいブロードキャストサーバー１１２へ要求をアドレスする。それ故、要求されたコンテンツをワイヤレスターミナル１００へブロードキャストするための好ましいブロードキャストセルを選択することができる。
【００２６】
送信の前に、データサーバー１２１から受け取られたデータは、ＤＢＮ１３０に作動的に接続されたブロードキャストサーバー１１２において処理される。この技術で良く知られたように、ブロードキャストサーバー１１２は、マルチプロトコルカプセル化を実行し、そしてムービング・ピクチャー・エクスパート・グループ・トランスミッション・ストリーム（ＭＰＥＧ−ＴＳ）ベースのデータコンテナにＩＰデータを入れる。特定のターミナル又はターミナルのグループへのデータ供給に応じるために、これらのコンテナは、データがそのターミナルに意図されたものであるかどうか決定するようにワイヤレスターミナル１００の条件アクセス要素により識別され読み取られるアドレス情報も保持する。或いは又、複数のターミナルへのデータ供給に応じるために、マルチキャストを適用することもでき、そして単一の送信者が多数の受信者に到達できるのが効果的である。ＤＢＮ１３０、ブロードキャストサーバー１１２及びワイヤレスターミナル１００のシステムには仮想プライベートネットワーク（ＶＰＮ）が形成される。ＤＢＮブロードキャスティングのある帯域巾が、ＤＢＮ１３０からワイヤレスターミナル１００へのポイント対ポイント通信に割り当てられる。又、ＤＢＮ１３０は、他のストリームが走るための種々の送信チャンネルをもつこともできる。ワイヤレスターミナル１００は、マルチプロトコルカプセル解除を実行して、ＩＰデータパケットを形成する。ここに述べるように、本発明のシステムは、適当に装備されたターミナル１００が対話するためのファシリティを備えている。従って、ユーザは、インターネットサイトからＤＢＮ１３０を経てワイヤレスターミナル１００への配送を要求することができる。このような機能は、ＳＭＳにより上述したようにワイヤレスターミナル１００からＤＢＮ１３０への戻りチャンネルを必要とする。ユーザは、ワイヤレスターミナル１００のユーザインターフェイスを経て特定のインターネットコンテンツに対する要求を発行することもできる。ユーザからの要求は、ＤＢＮ１３０により現在送信されないコンテンツを含むことに注意されたい。ユーザが、要求したコンテンツだけを受け取るよう確保するために、データは、ワイヤレスターミナル１００の条件アクセス要素がユーザに対して意図されたものであると確認する識別子と共に、ブロードキャストされる。コンテンツが別のターミナルによって受信される場合には、そのターミナルの条件アクセス要素は、コンテンツのプレゼンテーションを防止する。
【００２７】
或いは又、データサーバー１２１は、イントラネット又はローカルエリアネットワーク（ＬＡＮ）において構成されてもよい。明らかなように、本発明は、ブロードキャストサーバー１１２と通信できるネットワークであって、ローカルエリアネットワーク（ＬＡＮ）からインターネットのような急増しているグローバルエリアネットワーク（ＧＡＮ）までのネットワークに使用されるマルチポイント、スター、リング、ループ、メッシュ等のネットワークトポロジーのような種々のマルチノードネットワーク構造を含むネットワークに関連して実施することができる。
【００２８】
図２は、本発明によりユーザがデータ情報を得るワイヤレスターミナルの特定の実施形態を示すブロック図である。ワイヤレス装置１００は、ワイヤレス通信ネットワーク１１０に作動的に接続されて、ワイヤレス通信に参加すると共に、デジタルブロードキャストネットワーク１３０にも作動的に接続されて、データを受信する。図２の例では、ワイヤレス装置１００は、ハンドヘルドＰＣ、パーソナルデジタルアシスタント（ＰＤＡ）、移動電話、又はワイヤレス通信可能な他の装置のような移動ターミナルを表わす。ワイヤレスターミナル１００は、リソースを指示するメッセージを送信するためにＳＭＳ準拠のものである。メッセージに応答して、ワイヤレスターミナル１００は、ブロードキャストによりデータ情報を受信する。このデータ情報は、ウェブコンテンツであるか又はｅ−メールであってもよい。ワイヤレスターミナル１００における入力ユーザインターフェイス（ＵＩ）１０２は、ユーザがデータリソースに対する要求を送信するのを許す。これらの要求は、ワイヤレスターミナル１００においてＳＭＳメッセージにより送信される。この要求は、プロセッサ１０３により処理され、移動トランシーバ１０５を使用してＳＭＳメッセージが形成されて送信され、移動トランシーバは、アンテナ１０６を経てワイヤレス通信ネットワーク１１０と通信する。ブロードキャスト受信器１０７は、アンテナ１０６を経てＤＢＮ１３０と作動的に接続される。或いは又、ワイヤレスターミナル１００は、各通信回路に１つづつ、２つのアンテナを含んでもよい。ワイヤレスターミナル１００は、受信したデータ情報をアクセスするための条件アクセスアプリケーション（図示せず）を備えている。ブロードキャスト受信器１０７は、データパケットのリストと、インターネット１２０からデータ情報を得るための要求に対応するデータパケットとを受信する。プロセッサ１０３は、そのリストを、受信したデータパケットと比較して、受信したデータパケットにマークし、欠落データパケット（１つ又は複数）が検出される。欠落データパケットに対して、プロセッサ１０３は、上記欠落した又は不正確なパケット（１つ又は複数）を指示する付加的なＳＭＳメッセージを形成する。移動トランシーバ１０５は、欠落パケットを再送信するためにブロードキャストサーバー１１２へ付加的なＳＭＳメッセージを送信する。受信したデータ情報は、処理されて、メモリ１０４に記憶され、該メモリ１０４は、揮発性メモリ及び／又は不揮発性メモリを含む。受信したデータ情報は、メモリ１０４からのデータを処理することにより出力ユーザインターフェイス１０１を経てユーザへプレゼンテーションされる。記憶されたデータ情報は、変更することが許され、そしてワイヤレスターミナル１００は、リソースにより供給される要求されたコンテンツを選択的に記憶することができる。
【００２９】
ここに述べるように、データサーバー１２１からの受信されたデータ情報は、ワイヤレスターミナル１００のメモリ１０４にローカル記憶される。ワイヤレスターミナル１００は、コンテンツを一時的にローカル記憶することができ、従って、特定コンテンツに対するその後の要求は、データサーバー１２１への更なるアクセスを要求しなくても、ワイヤレスターミナル１００に容易にアクセスすることができる。一時的に記憶されるコンテンツは、最新のメッセージに応答して得られたコンテンツである。同様の特徴が、コンピュータのインターネットブラウザにおいてキャッシュとして知られている。或いは又、ユーザは、あるコンテンツをメモリ１０４にローカルにセーブすることができる。メモリ１０４のサイズは、コンテンツの限界である。例えば、ワイヤレスターミナル１００は、コンテンツを記憶するための３２ＭＢフラッシュメモリを有する。これは、選択された情報がローカル記憶されるので、データ情報が望まれるたびにＳＭＳサービスを使用して全てのデータ情報をデータサーバー１２１から得る必要がないために、相当に高い融通性及び効率を発揮する。更に、全ての情報をローカルメモリ１０４に記憶する必要はなく、移動装置のローカル記憶容量には限度があるので、このようにすることは禁止される。従って、受信したデータ情報を選択的にローカル記憶することは、時間及びリソースを必要とする所要のＳＭＳサービストランザクションの数を低減する。更に、ＳＭＳサービスは、サービストランザクション料金にも関連している。
【００３０】
図３は、ユーザがデータ情報を得るワイヤレスターミナルの別の実施形態を示すブロック図で、ワイヤレスターミナルが２つの個別のモジュールを含む場合を示している。図１の例のワイヤレスターミナル１００に置き換わる機能的ユーザターミナル３００は、本発明により動作するための２つのネットワークユニットを備えている。移動電話３０１のような第１ネットワークユニットは、ワイヤレス通信ネットワーク１１０内で動作する。移動電話３０１により、ユーザは、コンテンツの要求を入力し、そして移動電話３０１は、コンテンツを得るためのＳＭＳメッセージを移動ネットワーク１１０へ送信する。ＤＶＢターミナル３０２のような第２のネットワークユニットは、ユーザにより要求されてＤＮＢ１３０を経て送信されるコンテンツを受信する。ＤＶＢターミナル３０２及び移動電話３０１は、コンテンツの欠落データパケットを指示するデータ情報を送信するために作動的に接続される。又、ユーザが、受信インターネットサイトのハイパーリンクの使用を要求する場合には、移動電話３０１とＤＶＢターミナル３０２との間の通信が行われる。通信リンク３０３は、ターミナル間のデータ情報交換を与える。通信リンク３０３の一例は、赤外線リンク、ケーブル、ブルーツース等である。参考としてここに取り上げる公報ＵＳ６，１７２，６７３Ｂ１号は、デジタルオーディオブロードキャスティング（ＤＡＢ）のための受信部を有するターミナルにおけるマルチメディア情報の適応可能な受信を説明している。この公報のシステムは、ターミナルが、ユーザが要求するマルチメディア情報を記憶していない場合に、ＧＳＭネットワークを経てＤＡＢネットワークへ応答を与えるのに使用される個別の移動電話を有する。ターミナルは、マルチメディア情報を受信してターミナルに記憶するのを制御するためのソフトウェアエージェントを有する。
【００３１】
図４は、本発明によりネットワーク間の通信をブリッジするネットワーク構成体の特定の実施形態を示すブロック図である。ＳＭＳＣ１１１は、ブロードキャストサーバー１１２によりインターネット１３０に作動的に接続される。以下に述べるファンクションの幾つかは、ＳＭＳＣ１１１とブロードキャストサーバー１１２との間で分担されてもよいし、又はＳＭＳＣ１１１のみで実施されてもよい。ブロードキャストサーバー１１２の基本的な特徴は、それをデータネットワークに接続できることである。インターネット接続の物理的なレベルで使用できることも特徴である。ブロードキャストサーバーは、ファイアウオール１１２１を経てインターネット１２０に接続される。ブロードキャストサーバー１１２は、インターネット１２０に向けたＩＰプロトコルを使用する。ブロードキャストサーバー１１２内のデータキャストサーバー１１２２がＩＰプロトコルのデータ転送を制御する。データキャストサーバーは、ＩＰプロトコルにおいてＳＭＳＣ１１１から要求を受け取る。ブロードキャストサーバー１１２のＩＰカプセル化ブロック１１２３は、マルチプロトコルカプセル化を実行し、そしてＩＰデータを、ムービング・ピクチャー・エクスパート・グループ・トランスミッション・ストリーム（ＭＰＥＧ−ＴＳ）ベースのデータコンテナにＩＰデータを入れる。カプセル化は、あるデータ構造体を別の構造体内に含ませて、第１データ構造体が当面隠されるようにする。特定のターミナル又はターミナルのグループへのデータ供給に応じるために、これらのコンテナは、データがそのターミナルに意図されたものであるかどうか決定するようにワイヤレスターミナル１００の条件アクセス要素により識別され読み取られるアドレス情報も保持する。複数のブロードキャストストリームがブロードキャストサーバー１１２からＤＢＮ１３０へブロードキャストされる。或いは又、ブロードキャストサーバー１１２は、要求されたコンテンツに加えて、ＤＢＮ１３０を経てワイヤレスでブロードキャストされるべき個別のデジタルテレビジョン（ＤＴＶ）ストリームを受信することもできる。データサーバー１２１と、インターネット１２０からインターネットサイトを検索する際にブロードキャストサーバー１１２に使用できるアプリケーション（１つ又は複数）は、異なるオペレーティングシステムについて商業的に入手することができる。
【００３２】
ＳＭＳＣ１１１における変換アプリケーション１１５は、ＳＭＳメッセージの送信及び受信を制御する。変換アプリケーション１１５は、ＳＭＳメッセージを、ブロードキャストサーバー１１２へ転送されるべきインターネットコンテンツ要求へと変換する。公報ＷＯ９８／１１７４４号は、本発明に適用できる変換を説明している。ブロードキャストサーバー１１２は、要求をインターネット１２０に転送し、そしてインターネットコンテンツの検索を制御する。又、ブロードキャストサーバー１１２は、検索されたインターネットコンテンツ、種々のパラメータ、変換テーブル等を記憶するためのサイトデータベース１１６も備えている。或いは又、サイトデータベース１１６は、スポンサー付きウェブコンテンツのリストと、種々の勘定可能性とをもつことができる。又、ネットワークの使用を制御するためにブロードキャストサーバー１１２にはモニタリングプログラム１１７も含まれる。このモニタリングプログラム１１７は、ネットワークがサービスを提供する間にネットワークの使用レベルを追跡する。これは、価格がネットワーク負荷／トラフィックに依存するような課金目的に適用できる。或いは又、モニタリングプログラム１１７は、ユーザ要求がスポンサー付きコンテンツに一致するかどうかチェックする。
【００３３】
ワイヤレス通信ネットワーク１１０には、コンテンツ及び／又はコンテンツの要求に基づいてユーザの補償又は勘定を行うために課金データベース１１８が含まれる。要求を含む要求されたコンテンツに対するおそらくは可変の価格がこの課金データベース１１８に記憶される。課金データベース１１８は、ユーザごとに課金パラメータを判断する。課金データベース１１８は、ユーザデータベース１１９からワイヤレス通信ネットワーク１１０を経てユーザ関連情報を受け取ると共に、検索／受信されたコンテンツに関する情報を受け取る。又、課金データベース１１８は、ネットワークの使用に関してモニタリングプログラム１１７から情報を受け取り、及び／又はワイヤレスターミナルユーザの受信識別情報も受け取る。ブロードキャストサーバー１１２は、要求されたコンテンツに対する価格を設定し、そして関連ユーザｉｄをもつ価格を課金データベース１１８へ送信する。課金データベース１１８は、課金情報をワイヤレス通信ネットワークのオペレータに転送し、従って、該オペレータは、要求／受信されたコンテンツに対してユーザに課金する。その後の使用のために、ユーザデータベース１１９は、要求されたサービスに対するユーザ認識情報に基づくユーザプロフィールのようなユーザ関連情報を含む。
【００３４】
図４の実施形態のシステムは、既存のショートメッセージサービスセンターに導入できるので非常に効果的である。
図５は、ユーザが例えばインターネットサイトからワイヤレスターミナルにデータコンテンツを得る方法を示す本発明の一実施形態のフローチャートである。インターネットサイトから情報を要求するときに、ユーザは、コンテンツを得るための要求を送信する（ステップ５００）。ワイヤレスターミナル１００のディスプレイに見ることのできるテキストエントリーフィールドのようなユーザインターフェイスを経て要求識別子が入力される。或いは又、ボイスコマンド又は他のサウンドコマンドを受け取ることのできるオーディオ入力のような他の又は付加的なユーザインターフェイスを経て要求が入力される。又、本発明の精神及び範囲内で他の既知のユーザインターフェイスを使用することもでき、これは、グラフィックユーザインターフェイス（ＧＵＩ）、及びＧＵＩ選択ツール、例えば、マウス、ジョイスティック、キーボード、タッチスクリーン、ヘッドマウントディスプレイ等を含む。ワイヤレスターミナル１００により、ユーザは、ＳＭＳＣ１１１へ送られるＳＭＳメッセージを送信する。このＳＭＳメッセージは、インターネットサイトを直接的又は間接的に指示する識別子を含む。直接的な指示は、ＵＲＬ（均一リソースロケータ）のようなインターネットアドレスを含む。或いは又、ＵＲＬに代わって、ユーザは、希望のインターネットコンテンツを間接的に指示するメッセージにおいてショートキーワードをキー入力してもよい。サイトデータベース１１６は、キーワードをＷＷＷページアドレスにリンクするためのテーブルを含む。このようなテーブルの一例を以下に示す。例えば、ＵＲＬがｈｔｔｐ：／／ｗｗｗ．ｕｓｐｔｏ．ｇｏｖ／ｐａｔｅｎｔｎｕｍｂｅｒであるＷＷＷページから特許情報に関する情報を要求するときには、ユーザがコードＰＡＴＮ６２３４５６７を入力し、そしてワイヤレスターミナル１００は、そのコードをメッセージにおいてＳＭＳＣ１１１へ送信し、要求がブロードキャストサーバー１１２へ変換される。
2004532593.tif 000003
【００３５】
図５を参照すれば、ワイヤレスターミナル１００は、ＳＭＳメッセージをある番号に送信する（ステップ５０１）。典型的に、この番号は、あるオペレータによりリソースにアクセスするためのサービスを指示する番号である。ＳＭＳＣ１１１は、ＳＭＳメッセージを要求へと変換し、そしてその要求をブロードキャストサーバー１１２へ転送する（ステップ５０２）。或いは又、ＳＭＳＣ１１１は、要求をデータサーバー１２１に直接転送してもよく、この転送される要求は、ブロードキャストサーバー１１２のアドレスを有し、従って、インターネットコンテンツをブロードキャストサーバー１１２へアドレスすることができる。
【００３６】
更に図５を参照すれば、ブロードキャストサーバー１１２は、インターネットコンテンツが既に検索されてサイトデータベース１１６に記憶されたかどうかチェックする（ステップ５０３）。サイトデータベース１１６がコンテンツをもたない場合には、ブロードキャストサーバー１１２は、インターネット１２０からのＵＲＬアドレスに対応するインターネットコンテンツを検索し、そしてそれをサイトデータベース１１６に記憶する。ブロードキャストサーバー１１２は、検索されたコンテンツのパケットと、おそらくブロードキャスティングにより送信するための限界時間とをチェックする（ステップ５０４）。ＰＡＴＮ６２３４５６７のようなキーワードに基づいて、ブロードキャストサーバー１１２は、サイトデータベース１１６からＵＲＬアドレスを検索する。
【００３７】
ブロードキャスティングの前に、ブロードキャストサーバー１１２は、チェックされるべき幾つかの条件に対してスレッシュホールドを有してもよい（ステップ５０５）。これらの条件は、例えば、コンテンツを得るターミナルの数がある量を越えねばならないことである。又、ユーザが木曜日に週末の天気図情報を要求することでもよい。システムは、金曜日までアイドルし、そして金曜日にＤＢＮ１３０により要求された天気情報をユーザに転送する。この条件は、以下に述べるように、コンテンツの課金に関連してもよい。
【００３８】
ブロードキャストサーバー１１２は、マルチプロトコルカプセル化を実行し、そしてＭＰＥＧ−ＴＳベースのデータコンテナにＩＰデータを入れる。又、ブロードキャストサーバーは、送信されるべきデータパケットのリストも生成する。このリストは、約１５−２５パケットの認識情報を含む。リストにおけるパケットの量は、有効なブロードキャスティング及び知識に基づいて変化してもよい。リストは、ワイヤレスターミナル１００が受信パケットをチェックできるように形成される。ブロードキャストサーバー１１２は、パケットストリーム及びそれに関連した情報を、図１を参照して述べたように、ＤＢＮ１３０へ転送し、そしてＤＢＮ１３０は、データ情報を少なくとも１つのワイヤレスターミナル１００へブロードキャストする（ステップ５０６）。全コンテンツは、１５−２５個のデータパケットの周期及びそれらパケットに対するリストとして転送される。
【００３９】
ワイヤレスターミナル１００は、米国特許第６，２３４，５６７号のように、リスト及びデータパケットを受け取る（ステップ５０７）。データパケットのリストは、パケットの数及び認識と、おそらくは送信限界時間とを示す。送信限界時間は、パケットの受信をいつストップすべきかワイヤレスターミナル１００に通知する。ワイヤレスターミナル１００で実行されるアプリケーションは、受信したパケットをリストと比較する。一時的に記憶されたパケットは、リストと比較され、そしてリストにおいて受け取られたとパケットにマークしたときに記憶される（ステップ５０８）。
【００４０】
ワイヤレスターミナル１００は、パケットが実質的に受信された場合にその要求されたコンテンツをプレゼンテーションする。ワイヤレスターミナル１００は、リストに示された全てのデータ情報をそれが受信した場合に、その要求されたデータ情報をプレゼンテーションする。ワイヤレスターミナル１００は、それがプレゼンテーションできる量のデータ情報を受け取った場合に、データをプレゼンテーションする。転送されたデータが僅かなエラーを有する場合には、ターミナルは、例えば、コード化によりそれらを修正できるのが効果的である。データ情報が実質的に欠落している場合には、ワイヤレスターミナル１００は、欠落データ情報を指示する要求を形成する。この要求は、付加的なＳＭＳメッセージである。この付加的なＳＭＳメッセージは、リソースのアドレスと、欠落データパケットを示す情報とを含む。ワイヤレスターミナル１００は、この付加的なＳＭＳメッセージをＳＭＳＣ１１１へ送信する（ステップ５０９）。ＳＭＳＣ１１１は、その要求を変換してブロードキャストサーバー１１２へ転送する。ブロードキャストサーバー１１２は、最初に、欠落データパケットをサイトデータベース１１６に有するかどうかチェックする。欠落パケットがサーバー１１２に記憶されていない場合には、サーバー１１２は、欠落パケットをデータサーバー１２１から検索する。ブロードキャストサーバー１１２は、送信されるべき欠落パケットのリストを形成し、そしてそのリスト及びパケットを、ブロードキャスティングに関して述べたように、送信する。ワイヤレスターミナル１００は、最初の要求メッセージを送信したのと同様に、付加的なメッセージを送信する。或いは又、欠落パケットに代わって、要求された全データ情報がワイヤレスターミナル１００へブロードキャストされてもよい。コンテンツが実質的に受信された後に、それが出力インターフェイス１０１を経てユーザにプレゼンテーションされる。欠落データパケットを検索する同様の特徴が、インターネット環境では、ＩＰ−ＮＡＣＫ（否定確認）として知られている。
【００４１】
インターネットＩＰ−ＮＡＣＫでは、各単一の受信パケットが確認される。各単一のパケットがブロードキャストにより送信され、そしてＳＭＳメッセージにより確認された場合には、ＳＭＳＣ１１１が過負荷となり、障害を受ける。戻りチャンネルが連続的にオンである場合には、これがコストを形成し、リソースを獲得する。それ故、リスト当たり１５−２５個のパケットのセットが選択される。
【００４２】
ユーザがコンテンツにおいてハイパーリンクを選択したい場合には、ユーザは、入力ユーザインターフェイス１０２を使用してリンクへの指示を行う（ステップ５１０）。例えば、ユーザは、インターネットサイトを見て、マウスをハイパーリンクへ移動し、ハイパーリンクをクリックする。ワイヤレスターミナル１００は、ハイパーリンクに関連したデータ情報を得るための更に別のＳＭＳメッセージを形成する。この更に別のＳＭＳメッセージは、少なくとも、選択されたハイパーリンクを含む。或いは又、ハイパーリンクのデータ情報がローカル記憶されている場合には、それが、ワイヤレスターミナル１００の記憶装置から得られる。ワイヤレスターミナル１００は、リンクされたコンテンツを得るためにその更に別のメッセージを送信する（ステップ５１１）。この更に別のＳＭＳメッセージは、最初のＳＭＳメッセージの送信について述べたように、送信される。ＳＭＳＣ１１１は、この更に別のＳＭＳメッセージを要求へと変換し、そしてその要求をブロードキャストサーバー１１２へ転送する。ブロードキャストサーバー１１２は、ハイパーリンクにおいて指示されたデータ情報がサイトデータベース１１６にあるかどうかチェックする。サイトデータベースがデータ情報を記憶していない場合には、ブロードキャストサーバー１１２は、インターネット１２０からデータ情報を検索する。ブロードキャストサーバー１１２は、送信されるべき欠落情報のリストを形成し、そしてそのリスト及びパケットを、ブロードキャスティングについて述べたように、送信する。このプロセスは、ワイヤレスターミナル１００がコンテンツをプレゼンテーションしそしてユーザがいずれのリンクも選択しないときに終了となる（ステップ５１２）。
【００４３】
図６は、ショートメッセージ及び／又はコンテンツの課金モデルを示す特定の実施形態のフローチャートである。本発明の一実施形態は、コンテンツプロバイダーが、例えば、コンテンツに依存する種々の課金シナリオを定義できるようにする。これは、ユーザがコンテンツの料金にアクセスできるので、本発明の効果である。これは、明らかにユーザにとって魅力である。更に、本発明は、慣習的な要求ベースの勘定も与えることができ、そしてコンテンツプロバイダーがコンテンツ自体に対して課金できるようにする。使用上の種々の可能性の幾つかの例を以下に示す。
2004532593.tif 000004
【００４４】
図６を参照すれば、ユーザは、リソースへのアクセスを開始する（ステップ６００）。ユーザは、コンテンツを指示するための要求識別子を形成する。ワイヤレスターミナル１００は、要求へと変換されるＳＭＳメッセージを、通常データサーバー１２１であるリソースへ送信する（ステップ６０１）。コンテンツの要求は、ブロードキャストサーバー１１２に受信される。コンテンツと、コンテンツを要求するメッセージは、勘定に入れることができる。勘定には多数のモードがあり、その３つについて述べる。１）コンテンツがユーザにとって全く無料である（モード６０２）。コンテンツプロバイダーが、要求ＳＭＳメッセージのような送信コストと、ブロードキャストコストを支払う（ステップ６０３）。例えば、広告は、ユーザにとって無料である。ユーザが広告を得るよう要求するときには、コンテンツプロバイダーが、ＳＭＳメッセージと、おそらくはブロードキャストコスト又はインターネット使用コストのような他のコストについて課金される。２）コンテンツ自体はユーザにとって無料である（モード６０４）。ユーザは、例えば、ＳＭＳメッセージの送信コストについて課金される（ステップ６０５）。例えば、慣習的なウェブサイトは、ユーザがコンテンツを無料で得るがＳＭＳメッセージの分は支払うという種類の勘定状態を確立することができる。３）コンテンツが、ユーザにある金額を課する（モード６０６）。ユーザは、ＳＭＳメッセージ及びコンテンツについて課金される（モード６０７）。例えば、ＭＰ３ファイルのようなデジタル音楽は、ユーザが音楽を得そしてコンテンツ及びＳＭＳメッセージの両方を支払うという種類の勘定状態を確立することができる。
【００４５】
コンテンツは、ＤＢＮ１３０を経てユーザへブロードキャストされる（ステップ６０８）。ブロードキャストサーバー１１２は、コンテンツをＤＢＮ１３０へ転送し、そしてデータのブロードキャスティングが行われる。ブロードキャスティングは、勘定シナリオがブロードキャストサーバー１１２にセットされたときに行われる。ワイヤレスターミナル１００は、コンテンツを受信する（ステップ６０９）。ワイヤレスターミナル１００は、コンテンツを首尾良く受信したことをブロードキャストサーバー１１２に通知することができ、そしてブロードキャストサーバー１１２は、課金シナリオを終了することができる。テレコミュニケーションオペレータは、ユーザの実際の課金を管理する。オペレータは、課金データベース１１８から課金情報を受け取る。或いは又、ブロードキャストサーバー１１２のアドミニストレータが実際の課金を制御してもよい。ユーザは、例えば、周期的な移動電話勘定においてサービスについて支払をする。
【００４６】
本発明の更に別の実施形態では、コンテンツを得ると、ネットワークのトラフィックに基づいて課金される。ユーザは、ワイヤレスターミナル１００によりインターネット１２０からコンテンツを要求する。コンテンツの要求は、あるポイントにおいて、ブロードキャストサーバー１１２に受信されるか、又は同等の機能を有するネットワーク要素に受信される。モニタリングプログラム１１７は、ネットワークの物理的リソースの利用性に関する情報を得るためにネットワークシステムを周期的に走査する。物理的リソースは、例えば、使用可能な帯域巾、同時ユーザの数、ネットワークの使用時間等である。モニタリングプログラム１１７は、ワイヤレス通信ネットワーク１１０、インターネット１２０及びＤＢＮ１３０に関する物理的リソース情報を検索する。インターネット１２０からデータ情報を得るための可変接続に対する料金は、物理的ネットワークリソースの利用性に依存する。種々の課金シナリオがあるが、例示のために２つを説明する。１）クオリティが低いほど、契約の費用が安い。クオリティが低いほど、接続の費用が安い。安い費用は、通常、ネットワークに大勢のユーザがいることを意味する。好都合にも、この種の課金は、ユーザに対するサービスクオリティ（ＱＯＳ）のロスを補償する。２）ネットワークにいるユーザが多いほど、契約費用が高価である。ネットワークを使用する同時ユーザが多いほど、接続の価格が高価になる。この種の勘定モードは、ＱＯＳを適度なレベルに保持するように試みる。これは、特にピーク時間中に考えられるネットワーク混雑を制限するツールをオペレータに与える。ネットワークは、ある容量を有するので、課金モデル２）は、ネットワークに負荷がかかり過ぎたときにユーザを制限する手段を与える。ネットワークのユーザが多いほど、通常、送信クオリティが低いことを意味する。好都合にも、ＱＯＳレベルは、適度なレベルに保たれる。更に、夜間のユーザが多くなる。というのは、その特定接続に対して安価な費用が魅力的だからである。
【００４７】
本発明の更に別の実施形態では、リソースにアクセスすることは、そのアクセスに基づいて課金される。この場合も、ユーザは、ワイヤレスターミナル１００によりインターネット１２０からコンテンツを要求する。ワイヤレス通信ネットワーク１１０のオペレータは、課金を行う。或いは又、ブロードキャストサーバー１１２のオペレータが課金を行ってもよい。アクセスに基づく課金により種々の課金シナリオが実施される。１）データ情報へのアクセスは、料金が無料である。この場合に、あるアクセス識別子、例えば、ＳＭＳメッセージの番号が使用され、そしてユーザは、ワイヤレス通信ネットワーク１１０内で動作するワイヤレスターミナル１００に基づいて識別される。２）データ情報へのアクセスは、余計な料金を含む。ユーザは、あるアクセス識別子、例えば、ＳＭＳメッセージの番号を含む要求を送信する。要求されたコンテンツは、例えば、ＭＰ３音楽のように金銭的価値があると考えられるコンテンツを含む。オペレータは、ユーザを識別するアクセス識別子に基づいてその要求されたコンテンツについてユーザに課金する。好都合にも、あるネットワークサイトは無料であり、より多くのユーザを引き付ける。又、ユーザは、ネットワークからリソースを得るのに余計なクレジットカード情報を入力する必要がない。というのは、ユーザは、アクセス識別子に基づいて課金できるからである。ユーザが番号を使用してインターネット１２０にアクセスするときには、ＳＭＳメッセージがＳＭＳＣ１１１において読み取られる。ＳＭＳメッセージのコンテンツが、要求されたコンテンツをインターネット１２０に有するリソースを指示するときには、ＳＭＳＣ１１１に向けられたＳＭＳメッセージの番号が、そのユーザに対する料金も含むことをシステムに通知する。要求されたコンテンツは、ユーザにブロードキャストされる。
【００４８】
コンピュータサイエンスの当事者であれば、本発明によるコンピュータシステム及び／又はコンピュータサブ要素を形成すると共に、本発明の方法を実施するためのコンピュータシステム及び／又はコンピュータサブ要素を形成するように、本発明によるソフトウェアを、適当な汎用又は特殊目的のコンピュータハードウェアで形成することができよう。
【００４９】
本発明の好ましい実施形態と考えられるものを上述したが、当業者であれば、他のそして更に別の変更や修正がなされそしてこのような全ての変更や修正は、特許請求の範囲内に包含されることが明らかである。例えば、ＵＳＳＤ（非構造化補足サービスデータ）を、ＳＭＳに代わるものとして適用してもよい。ＵＳＳＤは、所有権のある補足的サービスを設計するためのツールをオペレータに与える。ＳＭＳと同様に、ＵＳＳＤは、シグナリングチャンネルをベアラとして使用する。しかしながら、記憶−転送機能を持つのではなく、セッション指向である。これは、ユーザがＵＳＳＤサービスにアクセスするときに、セッションが確立され、そして無線接続は、ユーザ、アプリケーション又は時間切れによりそれが解除されるまでオープンのままであることを意味する。対話式アプリケーションに対する応答時間は高速である。パケット交換データ転送は、ＳＭＳ及びＵＳＳＤをＧＰＲＳへそして更にＵＭＴＳへ進化させることを含む。これらの精巧なワイヤレス通信ネットワークは、メッセージをパケットの形態でワイヤレス通信ネットワークを経て転送する能力を備えている。又、ＳＭＳに代わって、Ｒ−データも、ＩＳ−１３６（時分割多重アクセスＴＤＭＡ）ネットワークにおけるメッセージをワイヤレス通信ネットワークの要素へ転送して、インターネットへと転送する手段を与える。
【図面の簡単な説明】
【００５０】
【図１】本発明の原理が適用されるネットワーク環境の実施形態を例示する図である。
【図２】本発明によりユーザがデータ情報にアクセスするところのワイヤレスターミナルの特定の実施形態を示すブロック図である。
【図３】本発明によりユーザがデータ情報を得るところのワイヤレスターミナルの別の実施形態を示すブロック図で、ターミナルが移動ユニット及びブロードキャストユニットを有する場合を示す図である。
【図４】本発明によりネットワーク間のブリッジ通信に使用されるネットワーク構成体の特定の実施形態を示すブロック図である。
【図５】ユーザがインターネットサイトのようなデータ情報をワイヤレスターミナルに得る方法を示す本発明の一実施形態の一般的なフローチャートである。
【図６】ショートメッセージ及び／又はコンテンツの課金モデルを示す更に別の実施形態のフローチャートである。
【図１】
2004532593.tif 000005
【図２】
2004532593.tif 000006
【図３】
2004532593.tif 000007
【図４】
2004532593.tif 000008
【図５】
2004532593.tif 000009
【図６】
2004532593.tif 000010
【国際公開パンフレット】
2004532593.tif 000011
2004532593.tif 000012
2004532593.tif 000013
2004532593.tif 000014
2004532593.tif 000015
2004532593.tif 000016
2004532593.tif 000017
2004532593.tif 000018
2004532593.tif 000019
2004532593.tif 000020
2004532593.tif 000021
2004532593.tif 000022
2004532593.tif 000023
2004532593.tif 000024
2004532593.tif 000025
2004532593.tif 000026
2004532593.tif 000027
2004532593.tif 000028
2004532593.tif 000029
2004532593.tif 000030
2004532593.tif 000031
2004532593.tif 000032
2004532593.tif 000033
2004532593.tif 000034
2004532593.tif 000035
2004532593.tif 000036
2004532593.tif 000037
2004532593.tif 000038
2004532593.tif 000039
2004532593.tif 000040
2004532593.tif 000041
2004532593.tif 000042
【国際調査報告】
2004532593.tif 000043
2004532593.tif 000044
2004532593.tif 000045